(57)【要約】【課題】バウンス撮影も可能で、かつ撮影レンズから離れた位置にポップアップさせる。【解決手段】撮影光軸方向に長い上カバー１５、上カバー１５の前端１５ａに取り付けられる発光部１６、及びリンク機構２１を備える。上カバー１５は、後端１５ｂがカメラ本体１１に設けた回転軸１７に回転自在に取り付けられており、回転軸１７を中心としてカメラ本体１１の頭部１２に倒伏する倒伏位置とここから起立する起立位置との間で回転する。上カバー１５は、起立位置に向けて回転することで、発光部１６を撮影光軸から遠ざかる位置に移動させる。リンク機構２１は、上カバー１５を倒伏位置から起立位置に向けて回転させることに連動して、発光面２２が正面を向く通常照明位置と上方を向くバウンス照明位置との間で発光部１６を回転させる。【選択図】図１
2014006303.tif 000002
【特許請求の範囲】
【請求項１】
被写体を照明するための照明部と、
前記照明部をカメラ本体から遠ざかる位置に移動させる移動手段と、
前記移動手段が前記照明部を移動させることに連動して、照明方向が前記被写体方向に向く通常照明位置と上方に向くバウンス照明位置との間で変わるように前記照明部を可変させる可変手段と、
を備えたことを特徴とする照明装置。
【請求項２】
請求項１に記載の照明装置おいて、
前記移動手段は、前記照明部を回転自在に支持する前端と、前記カメラ本体に回転自在に取り付けられる後端とを有し、前記後端を中心に回転することで前記先端が前記カメラ本体に倒伏する倒伏位置と前記カメラ本体から起立する起立位置との間で移動する外装体を含むことを特徴とする照明装置。
【請求項３】
請求項２に記載の照明装置において、
前記可変手段は、前記外装体を原動節として回転させることで従動する従動節を有する４つ以上の節をもつリンク機構を含むことを特徴とする照明装置。
【請求項４】
請求項３に記載の照明装置において、
前記従動節は、一端が前記照明部に取り付けられ、他端が前記カメラ本体に取り付けられており、前記外装体を原動節として回転させることで従動して前記前端を中心に前記照明部を回転させるリンク板を含むことを特徴とする照明装置。
【請求項５】
請求項３又は４に記載の照明装置において、
前記リンク機構は、前記外装体が倒伏位置から起立位置に向けた方向に回転することで、前記バウンス照明位置から前記通常照明位置に向けた方向に前記照明部を回転させることを特徴とする照明装置。
【請求項６】
請求項４又は５に記載の照明装置において、
前記外装体の前端と後端との間の長さを「ａ」、前記リンク板の一端と他端との間の長さを「ｂ」、前記前端と前記リンク板の一端との間の長さを「ｃ」、前記後端と前記他端との間の長さを「ｄ」とすると、
ａ−ｃ−ｄ＜ｂ＜ａ＋ｃ＋ｄ
の式を満足することを特徴とする照明装置。
【請求項７】
カメラ本体に設けた外装体が前記カメラ本体に倒伏する倒伏位置と起立する起立位置との間で移動することに連動して、被写体を照明するための照明部を前記カメラ本体から遠ざかる位置に向けて移動させるとともに、その移動に連動して前記照明部を回転させて照明方向が前記被写体方向に向く通常照明位置と上方に向くバウンス照明位置との間で可変するようにしたことを特徴とする照明方法。
【発明の詳細な説明】
【技術分野】
【０００１】
照明部がポップアップする照明装置及び照明方法に関する。
【背景技術】
【０００２】
一眼レフタイプのカメラに内蔵されているフラッシュ装置には、発光面の向きを正面から上方に可変させることができるリトラクタブルストロボ装置が知られている（特許文献１）。これにより、外付けフラッシュ装置を使用せずに、照明光を天井等にバウンスさせるバウンス撮影が行え、よって、赤目現象を防止でき、自然な写真を撮ることができる。
【０００３】
前述したリトラクタブルストロボ装置は、ストロボユニットをカバーするストロボカバーの下にヘリカルバーを設け、モータの駆動を利用してヘリカルバーを回転させることで、そのヘリカルバーの回転量に応じてストロボユニットの発光面が上向きから前向きに無段階に変化する。
【先行技術文献】
【特許文献】
【０００４】
【特許文献１】特開平８−２４８４８８号公報
【発明の概要】
【発明が解決しようとする課題】
【０００５】
しかしながら、特許文献１に記載のリトラクタブルストロボ装置では、側面視においてストロボユニットの前下部をカメラ本体の頭部に回転自在に連結し、その連結部を中心としてストロボユニットを回転させているため、ストロボカバーをいっぱい開いてもストロボユニットと撮影レンズとの間の距離がほとんど変わらない。このようにストロボユニットと撮影レンズとの距離が近いと、ノッペリとした写真になってしまうおそれがある。また、モータ等の駆動手段が必要となり、構成が複雑になり、コストもアップする。
【０００６】
本発明は、上記問題に鑑み、バウンス撮影も可能で、かつ撮影レンズから離れた位置にポップアップすることができる照明装置及び照明方法をローコストで提供することを目的とする。
【課題を解決するための手段】
【０００７】
本発明を例示する照明装置の一態様は、被写体を照明するための照明部と、前記照明部をカメラ本体から遠ざかる位置に移動させる移動手段と、前記移動手段が前記照明部を移動させることに連動して照明方向が前記被写体方向に向く通常照明位置と上方に向くバウンス照明位置との間で変わるように前記照明部を可変させる可変手段と、を備えたものである。
【０００８】
また、本発明の照明方法の一観点によれば、カメラ本体に設けた外装体が前記カメラ本体に倒伏する倒伏位置と起立する起立位置との間で移動することに連動して、被写体を照明するための照明部を前記カメラ本体から遠ざかる位置に向けて移動させるとともに、その移動に連動して前記照明部を回転させて照明方向が前記被写体方向に向く通常照明位置と上方に向くバウンス照明位置との間で可変するようにしたものである。
【発明の効果】
【０００９】
本発明では、通常照明撮影とバウンス撮影との両方が行えるとともに、通常照明撮影時には、照明部がカメラ本体から遠ざかる位置に移動するため、ぎらぎらとしていないキツ過ぎない適度な照明による撮影が行え、よって、自然な感じの写真を得ることができる。
【図面の簡単な説明】
【００１０】
【図１】本発明の一実施形態であるフラッシュ装置を内蔵するカメラ本体の頭部を示す斜視図である。
【図２】フラッシュ装置のポップアップの軌跡を示すカメラの右側面図である。
【図３】フラッシュ装置を構成する上カバーの前端を示す説明図である。
【図４】上カバーの後端を示す説明図である。
【図５】上カバーと発光部との回転位置の関係を示す説明図であり、（Ａ）は上カバーを倒伏位置に回転させた時に発光部が収納位置に回転した状態を、（Ｂ）は上カバーを初期開き位置に回転させた時に発光部が下向き照明位置に回転した状態を、（Ｃ）は上カバーを通常撮影位置に回転させた時に発光部が通常照明位置に回転した状態を、（Ｄ）は上カバーを起立位置に回転させた時に発光部がバウンス照明位置に回転した状態をそれぞれ示している。
【図６】フラッシュ装置の他の実施形態を示す説明図であり、（Ａ）は上カバーを倒伏位置に回転させた時に発光部がバウンス照明位置に回転した状態を、（Ｂ）は上カバーを初期開き位置に回転させた時に発光部が上向き照明位置に回転した状態を、（Ｃ）は上カバーを通常撮影位置に回転させた時に発光部が通常照明位置に回転した状態を、（Ｄ）は上カバーを起立位置に回転させた時に発光部が下向き照明位置に回転した状態をそれぞれ示している。
【発明を実施するための形態】
【００１１】
本発明の一実施形態である電子カメラ１０は、図１及び図２に示すように、カメラ本体１１と、カメラ本体１１の頭部１２に内蔵されるフラッシュ装置１３を含む。フラッシュ装置１３は、撮影光軸１４方向に長い上カバー１５、及び上カバー１５の前端１５ａの内側に取り付けられる発光部１６を含む。発光部１６は、放電管から放たれる閃光により被写体を照明する。
【００１２】
上カバー１５は、後端１５ｂがカメラ本体１１に設けた第１回転軸１７に回転自在に取り付けられており、第１回転軸１７を中心としてカメラ本体１１の頭部１２に倒伏する倒伏位置と頭部１２から起立する起立位置との間で回転し、図示していない付勢手段より起立位置に向けて付勢されている。発光部１６は、上カバー１５が倒伏位置の時に、頭部１２の凹部１２ａに収納される。上カバー１５は、起立位置に向けて回転することで、発光部１６を撮影光軸１４から高さ方向に離れる位置に移動させる。なお、上カバー１５は、外装体の一例であり、また、発光部１６は、照明部の一例である。
【００１３】
カメラ本体１１には、フック状の係止部材１８が設けられている。係止部材１８は、ロック位置とロック解除位置との間で移動する。ロック位置では、上カバー１５に設けた被係止部１９に係合して上カバー１５を倒伏位置に係止する。ロック解除位置では、被係止部１９との係止が解除される。係止部材１８は、付勢手段より常にロック位置に向けて付勢されている。頭部１２には、フラッシュモードボタン２０が設けられている。係止部材１８は、フラッシュモードボタン２０の押下操作に連動してロック解除位置に移動する。なお、測光部での測光の結果、低輝度被写体であると判断した時に、係止部材１８をロック解除位置に自動的に移動させるように構成してもよい。
【００１４】
フラッシュ装置１３には、上カバー１５の移動に連動して発光部１６の発光面２２の向きを可変させるリンク機構２１を備えている。リンク機構２１は、上カバー１５を倒伏位置(図２に符号１５Ａで示す位置)から起立位置（同図に符号１５Ｂで示す位置）に向けて回転させることに連動して、発光面２２が所定の被写体距離の範囲内に位置する被写体を照明する方向（略正面）を向く通常照明位置(同図に符号１６Ａで示す位置)と、略上方を向くバウンス照明位置(同図に符号１６Ｂで示す位置)との間で発光部１６を回転させる。
【００１５】
上カバー１５は、図３に示すように、前端１５ａの両側に設けた一端２３が発光部１６の両側にそれぞれ回転自在に取り付けられている。一端２３は、本発明の外装体の前端の一例である。また、発光部１６の両側には、一対のリンク板２５の一端２６がそれぞれ回転自在に取り付けられている。一対のリンク板２５は、同一形状のものになっている。上カバー１５の一端２３とリンク板２５の一端２６とは、発光部１６の側面のうちの異なる位置に取り付けられている。なお、符号１８は係止部材、符号１９は被係止部、符号２７は、係止部材をロック位置に保持するストッパー、符号２８は係止部材をロック位置に向けて付勢するバネ等の付勢手段である。
【００１６】
上カバー１５は、図４に示すように、後端１５ｂの両側に設けた他端２９がカメラ本体１１の第１回転軸１７にそれぞれ取り付けられている。他端２９は、本発明の外装体の後端の一例である。一対のリンク板２５の他端３１は、カメラ本体１１に設けた第２回転軸３２に回転自在に取り付けられている。第１及び第２回転軸１７，３２は、カメラ本体１１のうちの異なる位置に設けられている。
【００１７】
フラッシュ装置１３は、上カバー１５を倒伏位置と起立位置との間の回転域のうちの所定の回転位置に保持する保持機構３４を備える。保持機構３４は、ピン３５、円弧溝３６、及び２個のボールプランジャ３７，３８で構成されており、上カバー１５を、例えば倒伏位置Ａ、初期開き位置Ｂ、通常撮影位置Ｃ、及び起立位置Ｄの各回転位置に保持する。ピン３５は、上カバー１５の他端２９に設けた腕部４０の先端に立設されており、上カバー１５の回転に応じて円弧溝３６内を移動する。円弧溝３６は、カメラ本体１１に、第１回転軸１７を中心とする周方向に沿って形成されており、上カバー１５の倒伏位置の時には一方の縁３６ａが、また、起立位置の時には他方の縁３６ｂがそれぞれピン３５に当接して上カバー１５のそれ以上の回転を阻止する。
【００１８】
ボールプランジャ３７、３８は、周知のように、ボール４５を先端位置と沈込み位置との間で保持する本体４６と、本体４６の内部でボール４５を先端位置に向けて付勢するスプリング４７とを有し、ボール４５の一部を円弧溝３６内でピン３５に当接させることで上カバー１５を各回転位置に保持し、ボール４５がスプリング４７の付勢に抗して沈込み位置に押し込まれることで次の回転位置への上カバー１５の回転を許容する。尚、符号５０は、上カバー１５を起立位置に向けて付勢するバネ等の付勢手段である。
【００１９】
上カバー１５は、電子カメラ１０の不使用時には、係止部材１８が被係止部１９に係止して、付勢手段２８の付勢に抗して倒伏位置にロックされている。上カバー１５が倒伏位置Ａの時には、図５に示すように、リンク板２５の作用により、発光部１６が発光面２２を略下に向けた収納位置の姿勢で凹部１２ａ内に収納されている。
【００２０】
フラッシュ撮影を行う場合には、フラッシュモードボタン２０を押下操作する。この操作に連動して係止部材１８がロック解除位置に移動して上カバー１５が付勢手段５０の付勢により起立位置Ｄに向けて回転する。その後、ピン３５が円弧溝３６内に設けたボールプランジャ３７のボール４５に当接して上カバー１５が初期開き位置Ｂに保持される。
【００２１】
初期開き位置Ｂの時には、リンク板２５の作用により、発光面２２が被写体を照明する位置よりも略下向きとなる下向き照明位置に発光部１６が回転する。さらに、上カバー１５を起立位置に向けて回転させると、ボールプランジャ３７は、ピン３５によりボール４５が沈込み位置に押し込まれて、上カバー１５の通常撮影位置Ｃへの回転を許容する。しかる後に、ピン３５が次のボールプランジャ３８のボール４５に当接して上カバー１５が通常撮影位置Ｃに保持される。通常撮影位置Ｃの時には、リンク板２５の作用により、発光面２２をカメラ本体１１から所定距離内に位置する被写体を照明する通常照明位置に発光部１６が回転する。
【００２２】
さらに、上カバー１５を起立位置に向けて回転させると、ボールプランジャ３８は、前述したと同様に、ピン３５によりボール４５が沈込み位置に押し込まれて、上カバー１５の起立位置Ｄへの回転を許容する。しかる後に、ピン３５が円弧溝３６の他方の縁３６ｂに当接して上カバー１５が起立位置Ｄに保持される。起立位置Ｄでは、リンク板２５の作用により、発光面２２が略上方を向くバウンス照明位置に発光部１６が回転される。
【００２３】
ここで、上カバー１５の一端２３と第１回転軸１７との間を原動節５５、リンク板２５の一端２６と第２回転軸３２との間を従動節５６、第１及び第２回転軸１７，３２との間を固定節５７、及び上カバー１５の一端２３とリンク板の一端２６との間を連接節５８とすると、リンク機構２１は、これら４節５５〜５８により、原動節５５である上カバー１５を回転させることで従動節５６であるリンク板２５が揺動して発光面２２の向きが変わるように発光部１６を回転させる両テコ機構の一例である。
【００２４】
原動節５５は第１回転軸１７を、従動節５６は第２回転軸３２をそれぞれ中心に回転する。第１及び第２回転軸１７，３２は、ずれた位置に設けられている。このため、原動節５５と従動節５６との描く軌跡は同一や同心円状になることはなく、異なる軌跡を描く。この軌跡のズレが原動節５５の一端２３と従動節５６の一端２６とを結ぶ連接節５８の描く軌跡に角度をつけさせ、それにより発光面２２の角度が変化するように発光部１６が回転していく。
【００２５】
上記実施形態では、上カバー１５が倒伏位置から起立位置に向けて回転することで、下向きから正面を経て上向きになる順で可変するように、上カバー１５の回転域において原動節５５と従動節５６とが交差する（重なる）ようにリンク機構２１を構成しているが、本発明はこれに限らず、例えば図６に示す実施形態のように、発光面２２が上向きから正面を経て下向きになる順で可変するように、上カバー６０の回転域において原動節５５と従動節５６とが交差しない（重ならない）ようにリンク機構５９を構成してもよい。
【００２６】
図６に示す実施形態の場合、上カバー６０が倒伏位置の時に、発光面２２が外部に露呈されるように、上カバー６０の先端の一部に切り欠いた切欠き部を設けるか、あるいは上カバー６０の長さを、前述した上カバー１５よりも短くしている。そして、上カバー６０を倒伏位置（同図（Ａ））から初期回転位置（同図（Ｂ））、及び通常撮影位置（同図（Ｃ）を順に経由して起立位置（同図（Ｄ））に回転させると、発光部１６は、バウンス照明位置（図６（Ａ））から上向き照明位置（同図（Ｂ））、及び通常照明位置（同図（Ｃ））を順に経由して下向き照明位置（同図（Ｄ））に回転する。下向き照明位置（同図（Ｄ））は、発光部１６が被写体を照明する位置よりも略下向きの姿勢になる。このように、図６で説明した実施形態では、上カバー６０の倒伏位置から起立位置への回転に応じて、発光部１６がバウンス照明位置から通常照明位置に向けて回転する。
【００２７】
図５、及び図６で説明したリンク機構２１，５９では、上カバー１５，６０の回転に応じて発光部１６を回転させるために、原動節５５の長さを「ａ」、従動節５６の長さを「ｂ」、連接節５８の長さを「ｃ」、固定節５７の長さを「ｄ」とすると、「ａ−ｃ−ｄ＜ｂ＜ａ＋ｃ＋ｄ」の式を満足するように構成すればよい。
【００２８】
上記各実施形態で説明したリンク機構２１，５９は、４節リンク機構に限らす、４つ以上の節をもつリンク機構であってもよい。また、上記各実施形態で説明したフラッシュ装置１３は、放電管により被写体を照明する発光部１６を照明部として説明しているが、本発明ではこれに限らず、ＬＥＤの発光により照明する照明部を備える照明装置としてもよい。
【００２９】
上記各実施形態で説明した保持機構が上カバー１５を回転域内で保持する位置としては、前述した初期開き位置や通常撮影位置等の２位置に限ることはなく、何れの位置でも保持することができるように構成してもよい。また、例えば初期開き位置を省略してもよい。
【００３０】
上記各実施形態では、上カバー１７側に設けたピン３５と円弧溝３６に設けた複数のボールプランジャとで保持機構を構成しているが、本発明ではこれに限定されることはなく、例えば、ボールプランジャを上カバー１５側に設け、円弧溝３６に切欠きを設け、ボールプランジャが切欠きに入り込むことで上カバー１５を各回転位置に保持するように構成してもよい。
【００３１】
上記各実施形態では、上カバー１５を手動又は付勢手段５０の付勢により移動させているが、本発明ではこれに限らず、モータ等の駆動部を設けて自動的に移動させるように構成してもよい。また、上記各実施形態では、内蔵のフラッシュ装置１３として説明しているが、電子カメラ１０に外付けされる外付けフラッシュ装置としてもよい。
【００３２】
上記実施形態では、電子カメラ１０として説明しているが、写真フイルム用カメラや、カメラ付き携帯電話、及びスマートフォン等のカメラ付き電子機器等にも本発明を採用することができる。
【００３３】
以上、本発明を好適な実施の形態に基づき具体的に説明したが、本発明は上記のものに限定されるものではなく、その要旨を逸脱しない範囲で種種変更可能であることは言うまでもない。
【符号の説明】
【００３４】
１０  電子カメラ
１３  フラッシュ装置
１５  上カバー
１６  発光部
２１，５９  リンク機構
２２  発光面
【図１】
2014006303.tif 000003
【図２】
2014006303.tif 000004
【図３】
2014006303.tif 000005
【図４】
2014006303.tif 000006
【図５】
2014006303.tif 000007
【図６】
2014006303.tif 000008